(57)【特許請求の範囲】
【請求項１】
水平方向にスライドさせて開閉操作される引き戸であって、
互いに対向する一対の縦辺部と、互いに対向する一対の横辺部とを有する略平板状の引き戸本体と、
前記引き戸本体の一方側の第１表面部に設けられた第１取手部および第２取手部と、
前記引き戸本体の他方側の第２表面部に設けられた第３取手部および第４取手部と、
を備え、
前記第１取手部は、前記引き戸本体の一方の縦辺部に隣接し、かつ、縦方向に沿って前記第１表面部から外方に突出しており、
前記第２取手部は、前記第１取手部よりも他方の縦辺部側において前記第１表面部から外方に突出しており、
前記第３取手部は、前記第１取手部が設けられている側に位置する前記引き戸本体の一方の縦辺部に隣接し、かつ、縦方向に沿って前記第２表面部から外方に突出しており、
前記第４取手部は、前記第３取手部よりも他方の縦辺部側において前記第２表面部に設けられた横長の凹部から外方に向かって突出しており、
前記第２取手部と前記第４取手部とは、互いに異なる高さ位置に配設されていることを特徴とする引き戸。
【発明の詳細な説明】
【技術分野】
【０００１】
本発明は、引き戸に関する。
【背景技術】
【０００２】
従来より、水平方向にスライドさせて開閉する引き戸について、車椅子使用者やその介護者などによる開閉操作を容易にするための検討がなされている。
【０００３】
例えば、特許文献１には、縦握り部と、この縦握り部の下端から水平方向に延びる横握り部とからなる正面視Ｌ字状の取手部（引き手）を両面に備えた引き戸が記載されている。この引き戸の取手部は、引き戸の両面の左右の一端付近に設けられている。
【先行技術文献】
【特許文献】
【０００４】
【特許文献１】特開2002-97850号公報
【発明の概要】
【発明が解決しようとする課題】
【０００５】
引き戸の両面に外方に突出する取手部を設ける場合、引き戸が所定の範囲で開くようにするためには、取手部がスライド方向の壁などに接触しないように設計する必要がある。このため、通常、特許文献１に記載の引き戸のように、取手部は引き戸の左右の一端付近に配設されている。
【０００６】
しかしながら、取手部が引き戸の左右の一端付近に設けられている場合、引き戸の開閉に伴う車椅子の動作が複雑になるという問題がある。具体的には、例えば、車椅子使用者やその介護者などが従来の引き戸を開ける場合、取手部を掴むために一旦引き戸の取手部の位置まで車椅子を移動させて引き戸を開けた後、後方へ後退してから入退室する必要がある。
【０００７】
本発明は、以上のとおりの事情に鑑みてなされたものであり、車椅子使用者やその介護者などが引き戸を開閉操作する際の負担が少なく、使い勝手に優れた引き戸を提供することを課題としている。
【課題を解決するための手段】
【０００８】
上記の課題を解決するために、本発明の引き戸は、水平方向にスライドさせて開閉操作される引き戸であって、
互いに対向する一対の縦辺部と、互いに対向する一対の横辺部とを有する略平板状の引き戸本体と、
前記引き戸本体の一方側の第１表面部に設けられた第１取手部および第２取手部と、
前記引き戸本体の他方側の第２表面部に設けられた第３取手部および第４取手部と、
を備え、
前記第１取手部は、前記引き戸本体の一方の縦辺部に隣接し、かつ、縦方向に沿って前記第１表面部から外方に突出しており、
前記第２取手部は、前記第１取手部よりも他方の縦辺部側において前記第１表面部から外方に突出しており、
前記第３取手部は、前記第１取手部が設けられている側に位置する前記引き戸本体の一方の縦辺部に隣接し、かつ、縦方向に沿って前記第２表面部から外方に突出しており、
前記第４取手部は、前記第３取手部よりも他方の縦辺部側において前記第２表面部に設けられた横長の凹部から外方に向かって突出しており、
前記第２取手部と前記第４取手部とは、互いに異なる高さ位置に配設されていることを特徴としている。
【発明の効果】
【０００９】
本発明の引き戸は、車椅子使用者やその介護者などが引き戸を開ける際の負担が少なく、使い勝手に優れている。
【図面の簡単な説明】
【００１０】
【図１】本発明の引き戸の一実施形態を例示した平面図である。
【図２】図１の矢印Ａ方向からの引き戸の正面図である。
【図３】図３は、図１の矢印Ｂ方向からの引き戸の正面図である。
【図４】本発明の引き戸における第４取手部の一実施形態を例示した斜視断面図であり、図１中のＬ−Ｌ’矢視断面を示している。
【図５】本発明の引き戸の別の実施形態を例示した第１表面部側からの正面図である。
【発明を実施するための形態】
【００１１】
図１は、本発明の引き戸の一実施形態を例示した平面図である。図２は、図１の矢印Ａ方向からの引き戸の正面図である。図３は、図１の矢印Ｂ方向からの引き戸の正面図である。
【００１２】
引き戸１は、出入口Ｅを挟んで左右に対向配置された壁Ｗ１、Ｗ２の間に配置されており、壁Ｗ１、Ｗ２の間に配設された別の壁Ｗ３と隣接している。引き戸１は、この壁Ｗ１、Ｗ２の間を水平方向（図１中の矢印Ｘ，Ｙ方向）にスライドさせることで開閉が行われる。すなわち、引き戸１を矢印Ｙ方向にスライドさせると、引き戸１は、壁Ｗ３と前後に重なった状態で対峙して出入口Ｅが開放され、引き戸１を矢印Ｘ方向にスライドさせて壁Ｗ１に当接対峙させると、出入口Ｅが閉鎖される。
【００１３】
引き戸１は、引き戸本体２、第１取手部３、第２取手部４、第３取手部５および第４取手部６を備えている。
【００１４】
引き戸本体２は、互いに対向する一対の縦辺部２１a、２１bと、互いに対向する一対の横辺部２２a、２２bとを有する縦長の略平板状である。そして、引き戸本体２の一方側の第１表面部２３aと他方側の第２表面部２３bは同一の矩形状に形成されている。なお、図示していないが、引き戸本体２の上下の横辺部２１a、２２bには、床面の敷居や出入口Ｅを含む開口部上枠（鴨居）などに対応した各種のスライド機構を設けることができる。
【００１５】
第１取手部３および第２取手部４は、引き戸本体２の一方側の第１表面部２３aに設けられている。
【００１６】
第１取手部３は、壁Ｗ１と対峙する引き戸本体２の一方の縦辺部２１aに隣接し、引き戸本体２の縦方向の中央付近に配設されている。また、第１取手部３は、縦方向に沿って延びており、第１表面部２１aから外方に突出している。第１取手部３の具体的な形状は特に限定されないが、例えば、丸棒状、角棒状、アーチ状などの各種の形状を例示することができる。
【００１７】
第２取手部４は、第１取手部３よりも他方の縦辺部２１b側に配設されている。具体的には、第２取手部４は、第１取手部３の下端付近から他方の縦辺部２１b側に向かって略水平に延びており、第１表面部２３aから外方に突出している。第２取手部４の具体的な形状は特に限定されないが、例えば、丸棒状、角棒状、アーチ状などの各種の形状を例示することができる。
【００１８】
第３取手部５および第４取手部６は、引き戸本体２の他方側の第２表面部２３bに配設されている。図１に例示したように、この第２表面部２３bは、引き戸１を開いた状態では、その全体が壁Ｗ３と前後方向に重なって対峙する。
【００１９】
第３取手部５は、第１取手部３が設けられている側（壁Ｗ１と対峙する側）の縦辺部２１aに隣接し、第１取手部３の裏側に対応する位置の第２表面部２３bに配設されている。第３取手部５の形状は特に限定されないが、例えば、第１取手部３と同一の丸棒状、角棒状、アーチ状などの形状を例示することができる。
【００２０】
第４取手部６は、第２表面部２３bに設けられた横長の凹部７から外方に向かって突出している。また、この実施形態では、第２取手部４と第４取手部６とは、引き戸本体２の表裏面において互いに異なる高さ位置に配設されている。すなわち、第４取手部６は、第２取手部４が配設されている位置よりも高い位置に配設されている。
【００２１】
図４は、本発明の引き戸における第４取手部の一実施形態を例示した斜視断面図であり、図１中のＬ−Ｌ’矢視断面を示している。
【００２２】
図１〜図４に示したように、凹部７は、第２表面部２３bにおいて、第３取手部５よりも他方の縦辺部２１b側に配設されている。具体的には、凹部７は、第３取手部５の上端付近から他方の縦辺部２１bに向かって略水平に延びる横長の略矩形状であり、その裏側の第１表面部２３a側へ向かって引き戸本体２の厚さの１／３程度の深さで掘り込まれて形成されている。
【００２３】
また、第４取手部６は、凹部７の幅方向（上下方向）の中央付近において、凹部７の長さ方向（左右方向）の略全長に亘って配設されており、凹部７の外方に向かって突出している。したがって、凹部７は、第４取手部６によって上下に２分割されており、第４取手部６の上側の第１凹部７１と、第４取手部６の下側の第２凹部７２とが形成されている。
【００２４】
そして、第４取手部６は、凹部７の底部７３から外方に向かって突出する突出部６１と、突出部６１の先端に設けられたつまみ部６２を有している。つまみ部６２は、突出部６１よりも幅広に形成されており、また、その先端面６２aは平坦であり、第２表面部２３bと略同一平面上に位置している。すなわち、第４取手部６は、凹部７から外方に向かって突出しているが、先端に位置するつまみ部６２の先端面６２aは、第２表面部２３bより外方に突出していない。このため、引き戸１は、図１に示した矢印Ｙ方向にスライドさせて出入口Ｅを開放する場合にも、引き戸１の第４取手部６が壁Ｗ３と接触することがないため、自由な開閉操作が可能である。
【００２５】
このように、引き戸１は、第１取手部３と、この第１取手部３よりも他方の縦辺部２１b側に配設された第２取手部４を有している。このため、引き戸本体２の第１表面部２３a側から引き戸１を開閉操作する場合、例えば車椅子使用者やその介護者は、第１取手部３および第２取手部４のうち、状況に応じて使い勝手の良い方を選択して引き戸１の開閉操作を行うことができる。例えば、車椅子使用者やその介護者は、車椅子を引き戸１の正面に位置させた状態で第１取手部３を掴みにくい場合には、その横に配設された第２取手部４を掴んで引き戸１を容易に操作することができる。したがって、この引き戸１は、車椅子使用者やその介護者などが引き戸１を開閉操作して出入口Ｅからの入退室する際の車椅子の動作に伴う負担が少なく、使い勝手に優れている。
【００２６】
また、引き戸１は、第３取手部５と、この第３取手部５よりも他方の縦辺部２１b側において、凹部７から外方に向かって突出する第４取手部６を備えている。このため、引き戸本体２の第２表面部２３b側から引き戸１を開閉操作する場合、例えば車椅子使用者やその介護者は、第３取手部５および第４取手部６のうち、状況に応じて使い勝手の良い方を選択して引き戸１の開閉操作を行うことができる。例えば、車椅子使用者やその介護者は、車椅子を引き戸１の正面に位置させた状態で第３取手部５を掴みにくい場合には、その横に配設された第４取手部６を掴んで引き戸１を容易に操作することができる。この際、第４取手部６の上下には、第１凹部７１と第２凹部７２が形成されているため、第１凹部７１と第２凹部７２に手指を入れることで第４取手部６を容易に掴むことができる。また、凹部７に配設された第４取手部６が壁Ｗ３と接触することがないため、自由な開閉操作が可能である。したがって、この引き戸１は、車椅子使用者やその介護者などが引き戸１を開閉操作して出入口Ｅからの入退室する際の車椅子の動作に伴う負担が少なく、使い勝手に優れている。
【００２７】
さらに、図１に例示したように、壁Ｗ３には、例えば引き戸１の凹部７の形状に対応した形状のストッパーＳを配設することもできる。この場合、第４取手部６を掴んで引き戸１を開閉操作する際に、誤って指が壁Ｗ３と引き戸１の凹部７との間に引き込まれることが抑制される。
【００２８】
そして、引き戸１は、第２取手部４と第４取手部６が、互いに異なる高さ位置に配設されているため、例えば、車椅子使用者と介護者が引き戸１を介して室内側と室外側の異なる場所にいる場合であっても、引き戸１の開閉操作を容易に行うことができる。具体的には、例えば、車椅子使用者が単独で引き戸１を開閉操作する場合は、低い位置にある第２取手部４を容易に操作することができる。
【００２９】
図５は、本発明の引き戸の別の実施形態を例示した第１表面部側からの正面図である。図１〜図４で示した実施形態と共通する部分には同一の符号を付し、以下では説明を省略する。
【００３０】
この引き戸１は、第４取手部６よりも第２取手部４の方が高い位置に配設されている。
【００３１】
この実施形態においても、第２取手部４と第４取手部６とは、互いに異なる高さ位置に配設されているため、例えば、車椅子使用者と介護者が引き戸１を介して室内側と室外側の異なる場所にいる場合であっても、引き戸１の開閉操作を容易に行うことができる。
【００３２】
本発明の引き戸１は、水平方向にスライドさせて開閉操作される。引き戸１は、互いに対向する一対の縦辺部２１a、２１bと、互いに対向する一対の横辺部２２a、２２bとを有する略平板状の引き戸本体２を備えている。引き戸１は、引き戸本体２の一方側の第１表面部２３aに設けられた第１取手部３および第２取手部４と、引き戸本体２の他方側の第２表面部２３bに設けられた第３取手部５および第４取手部６とを備えている。
【００３３】
第１取手部３は、引き戸本体２の一方の縦辺部２１aに隣接し、かつ、縦方向に沿って第１表面部２３aから外方に突出している。第２取手部４は、第１取手部３よりも他方の縦辺部２１b側において第１表面部２３aから外方に突出している。第３取手部５は、第１取手部３が設けられている側に位置する引き戸本体２の一方の縦辺部２１aに隣接し、かつ、縦方向に沿って第２表面部２３bから外方に突出している。第４取手部６は、第３取手部５よりも他方の縦辺部２１b側において第２表面部２３bに設けられた横長の凹部７から外方に向かって突出している。また、第２取手部４と第４取手部６とは、互いに異なる高さ位置に配設されている。
【００３４】
本発明の引き戸は、以上の実施形態に限定されることはない。例えば、第１取手部と第２取手部とは互いに接続し、正面視略Ｌ字状に形成されていてもよい。また、凹部の形状や配設位置、第４取手部の形状なども適宜設計することができる。さらに、上記の実施形態では、第４取手部の先端（つまみ部の先端面）が、第２表面部と略同一平面上に位置している形態を例示したが、引き戸のスライドや第４取手部の掴み易さを害することがなければ、第４取手部の先端の位置も適宜設計することができる。
【符号の説明】
【００３５】
１    引き戸
２    引き戸本体
２１a、２１b  縦辺部
２２a、２２b  横辺部
２３a  第１表面部
２３b  第２表面部
３    第１取手部
４    第２取手部
５    第３取手部
６    第４取手部
７    凹部
【図１】
0006528323.tif 000002
【図２】
0006528323.tif 000003
【図３】
0006528323.tif 000004
【図４】
0006528323.tif 000005
【図５】
0006528323.tif 000006